(57)【要約】【課題】不要なアプリケーション及び／又はファイルを削除することにインセンティブを与える削除プログラム、及びアプリケーションの紹介にインセンティブを与えるウエブサイト（特に前記削除プログラムの活用を促進するアプリケーションに係るもの）を提供すること。【解決手段】アプリケーション及び／又はファイルを削除することに対してポイントを与える削除プログラム、及びアクセスした者の紹介者を同定して紹介者毎のダウンロード数を集計するウエブサイトを提供する。【選択図】図１
2015108988.tif 000002
【特許請求の範囲】
【請求項１】
アプリケーション及び／又はファイルの削除を実行する削除プログラムであって、
削除されるアプリケーション及びファイルの各々にポイントを割り当てるポイント計算手段と、
計算されたポイント値をサーバに送信するポイント送信手段とを備えることを特徴とする、削除プログラム。
【請求項２】
前記ポイント計算手段は、アプリケーション及びファイルの各々に割り当てられる前記ポイントをサーバから受信することを特徴とする、請求項１に記載の削除プログラム。
【請求項３】
前記ファイルは、撮影日時及び撮影場所の情報を含む写真画像ファイルを含み、所定の撮影日時及び撮影場所の情報を含む写真画像ファイルは、他の写真画像ファイルよりも前記ポイントが高いことを特徴とする、請求項２に記載の削除プログラム。
【請求項４】
前記ポイント計算手段は、所定の優先情報を有するアプリケーションがインストールされている場合、前記優先情報に基づいて該アプリケーション以外のアプリケーションの削除に係る前記ポイントを増加させることを特徴とする、請求項１〜３のいずれか一項に記載の削除プログラム。
【請求項５】
前記優先情報を有するアプリケーションをダウンロードさせるウエブサイトであって、
アクセスした者の紹介者を同定する紹介者情報を取得する紹介者情報取得手段と、
紹介者毎のダウンロード数を集計する紹介者別ダウンロード数集計手段とを備えることを特徴とする、ウエブサイト。
【請求項６】
前記紹介者情報取得手段は、アクセスした者がウエブサイトに入力した前記紹介者情報を取得することを特徴とする、請求項５に記載のウエブサイト。
【請求項７】
前記紹介者情報取得手段は、個人情報と紹介者との対応データを備え、アクセスした者がウエブサイトに入力した個人情報と前記対応データとに基づいて前記紹介者情報を取得することを特徴とする、請求項５に記載のウエブサイト。
【請求項８】
前記紹介者情報取得手段は、ウエブサイトのＵＲＬの末尾に付されるクエリ情報と紹介者との対応データを備え、前記クエリ情報と前記対応データとに基づいて前記紹介者情報を取得することを特徴とする、請求項５に記載のウエブサイト。
【発明の詳細な説明】
【技術分野】
【０００１】
本発明は、アプリケーション及び／又はファイルの削除を実行する削除プログラム、及び当該削除プログラムの動作を規定するアプリケーションをダウンロードするウエブサイトに関する。
【背景技術】
【０００２】
コンピュータ、特にスマートフォン等の小型の装置では、アプリケーション及び／又はファイルが多すぎることが問題となる。ディスクスペース等の保存容量が制約される等の理由による。
【０００３】
むろん、ユーザが自発的に管理を行い、不要なアプリケーションやファイルを削除することが好ましい。（アプリケーションについては「アンインストール」であり、単純な「削除」だはないが、本明細書においては、ファイルの削除とアプリケーションのアンインストールを総称して「削除」と言う。）しかし、かかる自発的管理はほとんど行われていなかった。ディスクスペース等の保存容量については、逼迫してユーザの希望する操作が行えなくならない限り意識するものではなく、不要なアプリケーションやファイルを削除することのインセンティブがなかったためである。
【０００４】
また、アプリケーションが不要であるか否かを判断するためには、「同一又は類似の機能を有するアプリケーションを複数インストールしていないか」、「インストールして使用していないアプリケーションが残っていないか」等の判断があるが、かかる判断はユーザに委ねられており、システムがガイドするものではなかった。
【０００５】
かかる状況において、新規にインストールするアプリケーションを選択する際には、アプリケーションを熟知した者の紹介が貴重な情報となる。しかし、かかる紹介にインセンティブを持たせる仕組みは存在しなかった。例えば特許文献１に開示されるような会員の紹介に対してポイントを付与するもの（いわゆる「マルチレベル・マーケティング」に係るもの）は存在したが、個別のアプリケーションを熟知した者の紹介に対するポイント付与ではなかった。また、特許文献２には、１のアプリケーションにおいて他のアプリケーションの紹介を行うものが開示されているが、紹介者へのインセンティブを有するものではなかった。
【先行技術文献】
【特許文献】
【０００６】
【特許文献１】特開２０１２−２１６０１３号公報
【特許文献２】特開２０１１−０６０１６１号公報
【発明の概要】
【発明が解決しようとする課題】
【０００７】
本発明は、不要なアプリケーション及び／又はファイルを削除することにインセンティブを与える削除プログラム、及びアプリケーションの紹介にインセンティブを与えるウエブサイト（特に前記削除プログラムの活用を促進するアプリケーションに係るもの）を提供することを課題とする。
【課題を解決するための手段】
【０００８】
本発明の削除プログラムは、
アプリケーション及び／又はファイルの削除を実行する削除プログラムであって、
削除されるアプリケーション及びファイルの各々にポイントを割り当てるポイント計算手段と、
計算されたポイント値をサーバに送信するポイント送信手段とを備えることを特徴とする。
【０００９】
削除に対してポイントを与え、ユーザ毎の積算されたポイント値をサーバに送信する。サーバにおいて、ポイントに対して景品を贈る、ポイントを金券として使用させる等のインセンティブを与えることができる。
削除されるアプリケーション及びファイルの各々にポイントを割り当てることで、アプリケーション及び／又はファイルの削除が効果的なものであるユーザに高いポイントを与えることができ、効果的な削除を啓発することができる。
【００１０】
本発明の削除プログラムは、
前記ポイント計算手段は、アプリケーション及びファイルの各々に割り当てられる前記ポイントをサーバから受信することを特徴とする。
【００１１】
ポイントの割り当てをサーバにおいて一括管理することができ、削除プログラムの変更をせずに状況変化への機敏な対応が可能となる。
【００１２】
本発明の削除プログラムは、
前記ファイルは、撮影日時及び撮影場所の情報を含む写真画像ファイルを含み、所定の撮影日時及び撮影場所の情報を含む写真画像ファイルは、他の写真画像ファイルよりも前記ポイントが高いことを特徴とする。
【００１３】
何らかのイベントにおける写真を大量に撮影し、それを整理したユーザに高いポイントが与えられる。イベントに参加して写真を撮影する（後に不要のものを削除してポイントを得ることができる）ことを促す、キャンペーン的な運用も可能となる。
【００１４】
本発明の削除プログラムは、
前記ポイント計算手段は、所定の優先情報を有するアプリケーションがインストールされている場合、前記優先情報に基づいて該アプリケーション以外のアプリケーションの削除に係る前記ポイントを増加させることを特徴とする。
【００１５】
システムの推奨するアプリケーションに優先情報を持たせ、それと同一又は類似の機能を有する他のアプリケーションを削除することにインセンティブを与えることができる。特定分野において卓越したアプリケーションが開発された場合等に、そのアプリケーションの普及に有効である。
【００１６】
本発明のウエブサイトは、
前記優先情報を有するアプリケーションをダウンロードさせるウエブサイトであって、
アクセスした者の紹介者を同定する紹介者情報を取得する紹介者情報取得手段と、
紹介者毎のダウンロード数を集計する紹介者別ダウンロード数集計手段とを備えることを特徴とする。
【００１７】
紹介に起因してダウンロードされた数を集計することができる。集計結果に基づいてポイント等のインセンティブを与え、紹介を促進することができる。
【００１８】
本発明のウエブサイトは、
前記紹介者情報取得手段は、アクセスした者がウエブサイトに入力した前記紹介者情報を取得することを特徴とする。
【００１９】
ダウンロードする者と紹介者を結びつける紹介者情報を取得するための手段として、ダウンロードする者に紹介者情報を入力させることが直接的かつ確実である。
【００２０】
本発明のウエブサイトは、
前記紹介者情報取得手段は、個人情報と紹介者との対応データを備え、アクセスした者がウエブサイトに入力した個人情報と前記対応データとに基づいて前記紹介者情報を取得することを特徴とする。
【００２１】
ダウンロードの際に、電話番号、メールアドレス等の個人情報の入力を求め、それに基づいて紹介者情報を取得する。ダウンロードする者は紹介者に関する情報の入力を必要としない。
【００２２】
本発明のウエブサイトは、
前記紹介者情報取得手段は、ウエブサイトのＵＲＬの末尾に付されるクエリ情報と紹介者との対応データを備え、前記クエリ情報と前記対応データとに基づいて前記紹介者情報を取得することを特徴とする。
【００２３】
クエリ情報を勘案すれば、紹介者毎に異なるＵＲＬとなる。紹介者は、そのＵＲＬを被紹介者に教えることができる。
【発明の効果】
【００２４】
不要なアプリケーション及び／又はファイルを削除することにインセンティブを与える削除プログラム、及びアプリケーションの紹介にインセンティブを与えるウエブサイト（特に前記削除プログラムの活用を促進するアプリケーションに係るもの）を提供することができる。
【図面の簡単な説明】
【００２５】
【図１】図１は、削除プログラム及びサーバの構成を示す図である。
【図２】図２は、削除プログラムの画面例を示す図である。
【図３】図３は、削除プログラム及びサーバの処理のフローを示す図である。
【図４】図４は、ウエブサイトにおける処理のフローを示す図である。
【図５】図５は、ウエブサイトの画面例を示す図である。
【発明を実施するための形態】
【００２６】
以下、本発明の一実施形態を、図１〜図５を用いて説明する。
【００２７】
（削除プログラムの基本構成）
図１は、削除プログラム及びサーバの構成を示す図である。端末機１がサーバ２にネットワークを介して接続されている。端末機１には、削除手段１１、ポイント計算手段１２及びポイント送信手段１３が設けられている。サーバ２には、個別ポイントデータ２１、ユーザ別ポイントデータ２２、ポイント変更手段２３及び特典付与手段２４が設けられている。
なお、個別ポイントデータ２１及びユーザ別ポイントデータ２２は、サーバ２でなく端末機１に配置してもよい。
【００２８】
図２は、削除プログラムの画面例を示す図である。ユーザが削除プログラムを起動すると、削除手段１１によって表示される画面である。ユーザは、アプリケーション及び／又はファイルのアイコンを、例えばドラッグアンドドロップによって領域１１１に移動し、削除ボタン１１２を押すことで、領域１１１にアイコンを移動されたアプリケーション及びファイルが削除される。
なお、削除手段１１は、ユーザの指定するアプリケーション及び／又はファイルを削除できればよく、図の画面のようにドラッグアンドドロップによって領域１１１に移動するものでなくてもよい。
【００２９】
図３は、削除プログラム及びサーバの処理のフローを示す図である。削除手段１１によってアプリケーション及び／又はファイルが削除される際に、図に示す処理が行われる。
【００３０】
ポイント計算手段１２が起動される。ポイント計算手段１２は、ユーザ状況をサーバ２に送信する。ここで、「ユーザ状況」には、ユーザを同定する情報、端末機１にインストールされているアプリケーションに関する情報、ユーザが申込んだキャンペーンの情報、その他削除するアプリケーション及び／又はファイルに対して与えるポイントを変動させ得る任意の情報を含むことができる。ユーザは、サーバ２を運営する（そして削除プログラムを提供する）運営者からポイントを受ける者であり、いかなる状況においていかなるポイントを受け取るかは運営者が決定すべきものである。運営者の決定に従って必要とされる情報を「ユーザ状況」に含める。いかなる情報であるかを事前に決定すべきものではない。
【００３１】
ユーザ状況を受信したサーバ２は、ポイント変更手段２３を起動し、個別ポイントデータ２１を更新する。ここで、個別ポイントデータ２１は、ポイント計算手段１２がそれを参照してポイントを計算することが可能となるデータである。アプリケーション名及び／又はファイル名とポイントとを１対１に対応させるものであることが好ましいが、各人に恣意的に命名されることが多く、日々新しいものの発生しているアプリケーション名及び／又はファイル名を全て事前に把握できるものではない。アプリケーションの機能、ファイルのサイズ、その他アプリケーション及び／又はファイルを特徴付ける任意のデータであってよい。
【００３２】
ポイント計算手段１２は、個別ポイントデータ２１を受信し、それに従ってポイント値を計算する。計算されたポイント値は、サーバ２に送信される。
【００３３】
計算されたポイント値を受信したサーバ２は、ユーザ別ポイントデータ２２を更新する。ユーザ別ポイントデータ２２には、削除プログラムの１回の起動のみでなく、過去の起動を含んで積算されたポイント値が保存されている。削除プログラムの各回の起動（計算されたポイント値の受信）に対しては、保存されたポイント値に受信したポイント値を加算すればよい。
なお、ポイント獲得の目的でファイルの生成と削除を繰り返す悪意のユーザ等への対策として一日当たりの獲得可能ポイントの上限を設ける等のことを行ってもよい。
【００３４】
サーバ２においては、運営者の方針に従って適時に特典付与手段２４が起動され、ポイント値に応じた特典をユーザに付与する。特典は、商品券の贈与、アプリケーション使用料の割引、その他任意のものであってよい。
【００３５】
（削除プログラムの活用）
削除プログラムの活用例を、２つ示す。
【００３６】
一活用例では、運営者があるイベントの集客を増加させようとしている。そこで、キャンペーンを行い、そのイベントにおいて撮影した写真を削除することに高いポイントを与えることとする。
【００３７】
ユーザは、キャンペーンに申込み、キャンペーンのチケット（１つのファイル）を端末機１に保存する。ポイント計算手段１２は、ユーザ状況としてそのファイルの存在を送信する。その場合、ポイント更新手段２３は、所定の場所において所定の時間に撮影された写真を削除することが高いポイントとなることを、個別ポイントデータ２１に追加する。ポイント計算手段１２は、かかる写真の削除に対して高いポイントを与える。
【００３８】
ユーザは、キャンペーンに申込み、イベントに参加して写真を撮影し、その写真を削除することで高いポイントを得ることができる。撮影した写真の中には削除せずに保存したいものも含まれると考えられるが、多くの写真を撮影すれば削除する写真が増える。
【００３９】
他の活用例では、運営者があるアプリケーションの利用者を増加させようとしている。そこで、そのアプリケーションに優先情報を与える。「優先情報」は特定のフォーマットの情報である必要はなく、ポイント計算手段１２がそのアプリケーションがインストールされていることを検出できるものであればよい。例えば、レジストリ内の特定のキーであってもよく、ポイント計算手段１２が読み取ることとしている所定のフォルダに所定のファイルを配する（アプリケーションのインストーラによって可能である。）ことであってもよい。
ポイント計算手段１２は、ユーザ状況として例えば上記所定のファイルの存在を送信する。その場合、ポイント更新手段２３は、そのアプリケーションと同機能の他のアプリケーションを削除することが高いポイントとなることを、個別ポイントデータ２１に追加する。ポイント計算手段１２は、かかるアプリケーションの削除に対して高いポイントを与える。
【００４０】
ユーザは、そのアプリケーションをダウンロードしてインストールする。その後に、そのアプリケーションと同機能の他のアプリケーションを削除することで高いポイントを得ることができる。
【００４１】
（ウエブサイト）
アプリケーションの利用者を増加させるためには、紹介してもらうことが有効である。そのため、紹介者にポイントを与える。被紹介者がアプリケーションをダウンロードする際に紹介者が明確であれば、紹介に基づくダウンロードであることがわかり、紹介者にポイントを与えることができる。
【００４２】
図４は、ウエブサイトにおける処理のフローを示す図である。ウエブサイトは、アプリケーションをダウンロードさせるサイトであり、被紹介者がアクセスしている。紹介者を同定する紹介者情報を取得し、ダウンロードされた場合には、紹介者にポイントを与える。
【００４３】
紹介者に与えるポイントは、上記削除プログラムによるポイントとは別種のものであるが、合算してもよい。
【００４４】
紹介者情報を取得する具体的な方法の例を、３つ示す。
【００４５】
図５は、ウエブサイトの画面例を示す図である。ウエブサイト３は、アドレス３１に示されるように、download.comというＵＲＬのものである。被紹介者はこのＵＲＬにアクセスし、所定の情報を入力して、ボタン３３を押すことでアプリケーションをダウンロードすることができる。所定の情報には、紹介者指定情報３２を含むことができる。
【００４６】
（Ａ）のように、被紹介者がダウンロードに当たり、紹介コード３２ａを入力することもできる。紹介コード３２ａによって紹介者を同定して紹介者情報を取得することができ、確実な方法である。なお、被紹介者が紹介コードを入力することを忘れないよう、紹介コードの入力がない場合にはダウンロードができないようにしてもよい。
【００４７】
（Ｂ）のように、紹介コードの入力がないものとしてもよい。この場合、被紹介者が入力する個人情報（電話番号３２ｂ及び／又は電子メール３２ｃ）によって紹介者を同定する。このため、個人情報と紹介者との対応データが必要であるが、紹介者がサーバに向けて被紹介者の個人情報を送信することとすればよい。
【００４８】
（Ｃ）のように、被紹介者が入力する情報ではなくＵＲＬの末尾に付されるクエリ情報によって紹介者を同定してもよい。紹介者は、被紹介者にクエリ情報を含むＵＲＬを伝えればよい。
【００４９】
以上詳細に説明したように、本実施形態の削除プログラムは、ユーザにポイントを与えて不要なアプリケーション及び／又はファイルを削除することにインセンティブを与える。そして、イベントの集客やアプリケーションの利用者増加のための手段ともなる。
【００５０】
また、本実施形態のウエブサイトは、アプリケーションの紹介者にポイントを与えるので、紹介するインセンティブともなる。なお、被紹介者が第三のユーザを紹介した場合に原紹介者にもポイントを与えるいわゆるマルチレベルマーケティングの運用も可能である。
【産業上の利用可能性】
【００５１】
不要なアプリケーション及び／又はファイルを削除することにインセンティブを与える削除プログラム、及びアプリケーションの紹介にインセンティブを与えるウエブサイト（特に前記削除プログラムの活用を促進するアプリケーションに係るもの）である。多くのアプリケーション提供者及び利用者による利用が期待される。
【符号の説明】
【００５２】
１…端末機
１１…削除手段
１２…ポイント計算手段
１３…ポイント送信手段
２…サーバ
２１…個別ポイントデータ
２２…ユーザ別ポイントデータ
２３…ポイント変更手段
２４…特典付与手段
３…ウエブサイト
３１…アドレス
３２…紹介者指定情報
【図１】
2015108988.tif 000003
【図２】
2015108988.tif 000004
【図３】
2015108988.tif 000005
【図４】
2015108988.tif 000006
【図５】
2015108988.tif 000007